(57)【要約】      （修正有） 【課題】外観の図案が変化する多目的容器を提供する。【解決手段】容器本体１と、少なくとも１以上の環状部材４とを含んでなり、容器本体は外周面に第１装飾物Ｐ１を形成してなり、環状部材は光透過性の材料によってなり、外周面に第２装飾物Ｐ２が形成され、かつ内周面が容器本体の外周面に緩く当接する内径とし、容器本体に回動自在に設け、容器本体を中心にして環状部材が回転すると、第２装飾物の位置が移動して第１週植物と視覚上組み合わさって全体的に異なる図案となる。第１装飾物、又は第２装飾物は図案であるか、符号であるか、もしくは文字である。容器本体の下端にベース座２を取り付けて固定し、容器本体の上端に上蓋３を取り付けて固定する。【選択図】図１
0003211500.tif 000002
【実用新案登録請求の範囲】
【請求項１】
容器本体と、少なくとも１以上の環状部材とを含んでなり、
該容器本体は外周面に第１装飾物を形成してなり、
該環状部材は光透過性の材料によってなり、外周面に第２装飾物が形成され、かつ内周面が該容器本体の外周面に緩く当接する内径とし、該容器本体に回動自在に設け、
該容器本体を中心にして該環状部材が回転すると、該第２装飾物の位置が移動して該第１週植物と視覚上組み合わさって全体的に異なる図案となり、該第１装飾物、又は第２装飾物が図案であるか、符号であるか、もしくは文字であって、
該容器本体の下端にベース座を取り付けて固定し、該容器本体の上端に上蓋を取り付けて固定し、
該容器本体と該上蓋との組み合わせがボディーソープの容器であるか、筆たてであるか、もしくは小物入れの筒であることを特徴とする図案の変化する多目的容器。
【考案の詳細な説明】
【技術分野】
【０００１】
この考案は、液体、又は物品などを入れる容器に関し、特に容器表面の外観について、外部表面の図案を変化させることのできる構造を有する容器に関する
【背景技術】
【０００２】
一般の容器の機能は、液体を入れたり物品を入れたりすることができる点にある。例えば、入浴用品として液体入浴剤を入浴するために容器が提供される。筆立は筆記用具、又はその他文房具を置くために提供される。小物入れの筒などは、細かい物品を入れるのに提供される。
【０００３】
視覚上の問題として、一般には容器の表面には、印刷、又は筆で塗るなどの方式で様々な図案、又は装飾性を有する符号、文字などを付与する。然しながら、従来の容器は容器の外部表面に付与された図案、符号、文字等を変更することができない。即ち、外部表面に特定の図案、符号、又は文字を有する容器を購買したら、該雪の外観はへんこうすることができない。このため、長期間使用した場合、見飽きて新鮮味に欠け、興味をそそらなくなる。
【考案の概要】
【考案が解決しようとする課題】
【０００４】
この考案は、従来の容器において外観を変更することができないという問題を解決するためのものであって、即ち、外観の図案が変化する多目的容器を提供することを課題とする。
【課題を解決するための手段】
【０００５】
この考案の特徴は、容器本体の外周面に第１装飾物を形成し、光透過性を有する材料で少なくとも１以上の環状部材を製造し、該環状部材の外周面に第２装飾物を形成し、該環状部材の内径は、該環状部材の内周面が該容器本体の外周面に緩く当接するようにし、該環状部材が該容器本体を中心として回転すると、該第２装飾物の位置が移動して、該第１装飾物と組み合わさって視覚上の変化が生じ、全体的に異なる図案となることにある。
【０００６】
この考案による外観の図案が変化する多目的容器の技術内容は次のとおりである。即ち、容器本体と、少なくとも１以上の環状部材とを含んでなり、該容器本体は外周面に第１装飾物を形成してなり、該環状部材は光透過性の材料によってなり、外周面に第２装飾物が形成され、かつ内周面が該容器本体の外周面に緩く当接する内径とし、該容器本体に回動自在に設け、該容器本体を中心にして該環状部材が回転すると、該第２装飾物の位置が移動して該第１週植物と視覚上組み合わさって全体的に異なる図案となる。
【０００７】
また、該容器本体の下端にベース座を取り付けて固定し、該容器本体の上端に上蓋を取り付けて固定する。
【０００８】
該容器本体と該上蓋との組み合わせがボディーソープの容器である。
【０００９】
また、  該容器本体と該上蓋との組み合わせが筆立てである。
【００１０】
該容器本体と該上蓋との組み合わせがボ小物入れの筒である。
【００１１】
また、該容器本体の外周面に形成する該第１装飾物、又は該環状部材に形成する第２装飾物が図案である。
【００１２】
また、該容器本体の外周面に形成する該第１装飾物、又は該環状部材に形成する第２装飾物が符号である。
【００１３】
また、該容器本体の外周面に形成する該第１装飾物、又は該環状部材に形成する第２装飾物が文字である。
【考案の効果】
【００１４】
上述するように、この考案による外観の図案が変化する多目的容器は、
使用者が環状部材を回転させるという簡単な操作で環状部材の外周面に形成した第２装飾物の位置を移動させ、第２装飾物の環状部材を通して見える第１装飾物に対する位置が変化させることができ、このため第１装飾物と第２装飾物とが組み合わさった全体の図案、図形、又は符号などの構図を変化されることができ、容器の付加価値を高めるという効果が得られる。
【図面の簡単な説明】
【００１５】
【図１】実施例１による外観の図案が変化する多目的容器を分解した状態を示した説明図である。
【図２】図１の容器を構成する部材を組み立てた状態を示した斜視図である。
【図３】図２に開示する容器の断面構造を示した説明図である。
【図４】実施例２による外観の図案が変化する多目的容器を分解した状態を示した説明図である。
【図５】図４の容器を構成する部材を組み立てた状態を示した斜視図である。
【図６】実施例３による外観の図案が変化する多目的容器を分解した状態を示した説明図である。
【図７】図６の容器を構成する部材を組み立てた状態を示した斜視図である。
【考案を実施するための形態】
【実施例１】
【００１６】
図１から図３に開示するように、この考案による図案の変化する多目的容器は、回転することで外観の図案が変化するものであって、容器本体１と、ベース座２と、上蓋３と、及び複数の環状部材４とを含んでなる。容器本体１は外周面に第１装飾物Ｐ１を有する。例えば、第１装飾物Ｐ１は、任意の図案、符号、もしくは文字などである。具体的に述べると、装飾物Ｐ１は印刷などの方式で容器本体１の外周面に形成する。また、第１装飾物ＰＩの第１装飾物Ｐ１の上方と容器本体１の上端との間に空間を残しておき、上蓋３の取付けに供する。第１装飾物Ｐ１の下方と容器本体１の下端との間にも空間を残しておき、ベース座２の取付けに供する。容器本体１の上端面は開口面であって、液体を容器本体１に入れることができる。
【００１７】
図１に開示するように、ボディーソープの容器を以って第１の実施例とする当然のことながら、この考案の応用の範囲はこれに限られるものではない。容器本体１の上端には上蓋３を緊密に設ける。上蓋３の上端面には上方に突出した出口を形成する、該出口の外周面には螺刻して外ネジ３１を形成し、かつ外ネジ３１にスプレー部５を螺着する。上蓋３を容器本体１に取付け、上蓋３の外周壁を容器本体１の外周面上方の予め開けておいた空間に位置させ、第１装飾物Ｐ１が覆われることのないようにする。
【００１８】
環状部材４は、光透過性を有する材料によってなり、かつ環状の壁面が囲繞して形成される空間部４１を具える環状体である。光透過性の材料としては、例えば透明のアクリル、透明樹脂、透明ガラス、透明プラスチックなどから適宜な材料を任意に選択する。環状部材４の外周面には印刷などの方式で第２装飾物Ｐ２を形成する。第２装飾物Ｐ２は、任意の図案、符号、もしくは文字などである。具体的に言えば、第２装飾物Ｐ２と第１装飾物Ｐ１との間には相互に組み合わせる効果を有する。環状部材４の空間部４１の内径は、環状部材４の内周面が容器本体１の外周面に緩く当接するように設定する。このため環状部材４を容器本体１に取付けた場合に、容器本体を中心にして回転させることができる。ここから、第２装飾物Ｐ２の位置が移動し、透けて見える第１装飾物Ｐ１との組み合わせで視覚上の変化が起き、全体的に異なる図案となる。詳しく述べると、環状部材４は光透過性の材料によって形成される。このため、環状部材４を容器本体１の外周面に取付けると、一般の人には、視覚上環状部材４を介して容器本体１の第１装飾物Ｐ１が見える。
【００１９】
ベース座２は、収納部２１が形成されたベース体であって、収納部２１は、内周面が容器本体１の外周面と緊密に当接する内径とする。それぞれの環状部材４に容器本体１を貫通させ、環状部材４を回動自在に取り付けた後、容器本体１をベース座２の収納部２１に嵌着し、ベース座２を容器本体１の底端に固定する。全体を組み立てた後は、図２、図３に開示するとおりである。
【００２０】
上述する構造により、容器本体１内にボディーソープ、又は乳液などの液体を入れる容器の場合には、スプレー部５を押圧することで容器本体１内の液体を吐出させることができる。また、使用者は環状部材４を任意に回転させ、環状部材４上の第２装飾物Ｐ２の位置を移動させることで、第１装飾物と組み合わせて新たな図案を構成することができる。
【００２１】
例えば、図１に開示する容器本体１は、外周面に任意の数量の樹木の図案を形成して第１装飾物Ｐ１とする。それぞれの環状部材４の外周面には数が決まっていないフクロウの図案を形成して第２装飾物Ｐ２とする。使用者が環状部材４を回転させると、異なる環状部材４上のフクロウは、該樹木の図案の異なる位置に移動し、一部のフクロウが木の枝に止まり、一部のフクロウが木の幹に止まる構図となり、容器の面白みが増す。
【実施例２】
【００２２】
図４、５に、この考案による外観の図案が変化する多目的容器の第２の実施の形態を開示する。第２の実施例による容器は筆立てであって、上述する第１の実施の形態と同様に容器本体１と、環状部材４と、ベース座２と、及び第１の実施の形態とは異なる上蓋３とを含む。第２の実施の形態における容器本体１と、環状部材４と、ベース座２との構造と組み合わせは第１の実施の形態と同様であるので、詳述しない。図４に開示する上蓋３は筒状体であって、内周面に複数の仕切り板３２を形成し、例えば歯ブラシなど異なる用品を区分けして入れる空間を構成する。
【実施例３】
【００２３】
図６、７に、この考案による外観の図案が変化する多目的容器の第３の実施の形態を開示する。第３の実施例による容器は小物入れであって、上述する第１の実施の形態、第２の実施の形態と同様の容器本体１と、環状部材４と、ベース座２と、及び第１の実施の形態と第２の実施の形態と
は異なる上蓋３と、を含む。第３の実施の形態における容器本体１と、環状部材４と、ベース座２との構造と組み合わせは第１の実施の形態、第２の実施例と同様であるので、詳述しない。図６に開示する上蓋３は筒状体であって、使用者は筆記具又は文房具などを容器１に直接入れることができる。
【符号の説明】
【００２４】
１    容器本体
２    ベース座
２１  収納空間
３    上蓋
３１  外ネジ
３２  仕切り板
４    環状部材
４１  空間部
５    スプレー部
Ｐ１  第１装飾物
Ｐ２  第２装飾物
【図１】
0003211500.tif 000003
【図２】
0003211500.tif 000004
【図３】
0003211500.tif 000005
【図４】
0003211500.tif 000006
【図５】
0003211500.tif 000007
【図６】
0003211500.tif 000008
【図７】
0003211500.tif 000009
【手続補正書】
【提出日】平成29年5月16日(2017.5.16)
【手続補正１】
【補正対象書類名】実用新案登録請求の範囲
【補正対象項目名】請求項１
【補正方法】変更
【補正の内容】
【請求項１】
容器本体と、少なくとも１以上の環状部材とを含んでなり、
該容器本体は外周面に第１装飾物を形成してなり、
該環状部材は光透過性の材料によってなり、外周面に第２装飾物が形成され、かつ内周面が該容器本体の外周面に緩く当接する内径とし、該容器本体に回動自在に設け、
該容器本体を中心にして該環状部材が回転すると、該第２装飾物の位置が移動して該第１装飾物と視覚上組み合わさって全体的に異なる図案となり、該第１装飾物、又は第２装飾物が図案であるか、符号であるか、もしくは文字であって、
該容器本体の下端にベース座を取り付けて固定し、該容器本体の上端に上蓋を取り付けて固定し、
該容器本体と該上蓋との組み合わせがボディーソープの容器であるか、筆たてであるか、もしくは小物入れの筒であることを特徴とする図案の変化する多目的容器。
【手続補正２】
【補正対象書類名】明細書
【補正対象項目名】０００６
【補正方法】変更
【補正の内容】
【０００６】
この考案による外観の図案が変化する多目的容器の技術内容は次のとおりである。即ち、容器本体と、少なくとも１以上の環状部材とを含んでなり、該容器本体は外周面に第１装飾物を形成してなり、該環状部材は光透過性の材料によってなり、外周面に第２装飾物が形成され、かつ内周面が該容器本体の外周面に緩く当接する内径とし、該容器本体に回動自在に設け、該容器本体を中心にして該環状部材が回転すると、該第２装飾物の位置が移動して該第１装飾物と視覚上組み合わさって全体的に異なる図案となる。